(57)【特許請求の範囲】
【請求項１】
間隔をおいて立設された支柱に取付金具を介してパネルが架設されてなるパネル取付構造であって、取付金具は固定部とパネル取付部とを備え、固定部は支柱に止着されると共に、固定部よりパネル取付部がパネルの接続方向に突設されて、パネル取付部には表裏方向に貫通する金具側取付孔が形成され、該金具側取付孔の上縁部から裏側に水平に突出する仮置き部が設けられて、パネルに形成された表裏方向に貫通するパネル側取付孔に前記仮置き部が挿入されて、パネルが支柱に固定されていることを特徴とするパネル取付構造。
【請求項２】
前記仮置き部は、金具側取付孔の上縁部から裏側に水平に切り起こされて形成されていることを特徴とする請求項１に記載のパネル取付構造。
【請求項３】
請求項１又は２に記載の取付金具を用いて支柱にパネルを取付ける取付方法であって、支柱に取付金具の固定部を止着し、次いでパネル取付部の金具側取付孔の上縁部から裏側に水平に突出された仮置き部を、パネルに形成された表裏方向に貫通するパネル側取付孔に挿入し、パネルを仮置き部に載置した状態で、前記パネル側取付孔と金具側取付孔とを貫通する固定具によってパネルを取付金具に固定することを特徴とするパネル取付方法。
【発明の詳細な説明】
【技術分野】
【０００１】
本発明は、支柱にパネルを取付ける際に用いるパネル取付構造及びパネル取付方法に関するものである。
【背景技術】
【０００２】
従来、例えば特許文献１に示されるような、平面視略コ字状のブラケットを介して横ビームを取付けた防護柵が知られている。上記防護柵における横ビームの支柱への取付構造は、特許文献１の図面の図９に示されるように、支柱に平面視コ字状のブラケットを介して横ビームを取付ける構造であって、支柱には、ブラケットを取付けるための取付けボルトを挿通するためのボルト孔が形成され、一方、ブラケットの支柱への取付け側の面には前記取付けボルトを挿通するための孔が形成され、ブラケットの支柱取付側の面から突設された２つの面には横ビームをビーム取付ボルトをもって取付けるための貫金具取付用ボルト孔が穿設されているものである。
また、特許文献２には、対立した両支柱間に腰板を架け渡して結合する支柱と腰板の取付け方法において、前記両支柱の内側壁に取付片で左右框を対向状に取付けて、その左右框の下端間に下框を架け渡して、前記左右框と下框で囲まれた空間部に幕板を張って、前記左右框の上端間に上框を架け渡して取付けた支柱と腰板の取付け方法が開示されている。
【先行技術文献】
【特許文献】
【０００３】
【特許文献１】実開昭６２−１９０７１２号公報
【特許文献２】特開２００１−３４８９４８号公報
【発明の概要】
【発明が解決しようとする課題】
【０００４】
しかしながら、上記従来の取付金具は、支柱に横ビームを取付ける際、横ビームを仮置きすることができないため、複数の作業者によって設置作業を実施しなければならず、施工性に改善の余地が残されたものであった。
また上記従来のパネル取付方法は、施工現場においてパネルを構成する全ての部材を組立てるようになされているため、部材点数が多く施工時間を要すると共に、それら部材の管理が煩雑なものとなっていた。
【０００５】
本発明は、前記の如き課題を解消し、施工性の良い取付金具とそれを用いたパネル取付方法を提供せんとするものである。
【課題を解決するための手段】
【０００６】
上記目的を達成するために、本発明は次のような構成としている。
すなわち本発明に係るパネル取付構造は、間隔をおいて立設された支柱に取付金具を介してパネルが架設されてなるパネル取付構造であって、取付金具は固定部とパネル取付部とを備え、固定部は支柱に止着されると共に、固定部よりパネル取付部がパネルの接続方向に突設されて、パネル取付部には表裏方向に貫通する金具側取付孔が形成され、該金具側取付孔の上縁部から裏側に水平に突出する仮置き部が設けられて、パネルに形成された表裏方向に貫通するパネル側取付孔に前記仮置き部が挿入されて、パネルが支柱に固定されていることを特徴とするものである。
【０００７】
また、本発明に係るパネル取付構造は、前記仮置き部は、金具側取付孔の上縁部から裏側に水平に切り起こされて形成されていることを特徴とするものである。
【０００８】
また、本発明に係るパネル取付方法は、支柱に取付金具の固定部を止着し、次いでパネル取付部の金具側取付孔の上縁部から裏側に水平に突出された仮置き部を、パネルに形成された表裏方向に貫通するパネル側取付孔に挿入し、パネルを仮置き部に載置した状態で、前記パネル側取付孔と金具側取付孔とを貫通する固定具によってパネルを取付金具に固定することを特徴とするものである。
【発明の効果】
【０００９】
本発明によれば、取付金具は固定部とパネル取付部とを備え、固定部は支柱に止着されると共に、固定部よりパネル取付部がパネルの接続方向に突設されて、パネル取付部には表裏方向に貫通する金具側取付孔が形成され、該金具側取付孔の上縁部から裏側に水平に突出する仮置き部が設けられて、パネルに形成された表裏方向に貫通するパネル側取付孔に前記仮置き部が挿入されて、パネルが支柱に固定されているため、パネル側取付孔を仮置き部に挿入した状態でパネルを仮置きすることができるので、作業者は両手を自由に使って効率よくパネルを支柱に固定することができると共に、パネルの位置調整が必要な場合にも、パネルを仮置き部に載置した状態でパネルを左右に移動させてパネル位置を容易に調整することができる。
【００１０】
また、本発明によれば、仮置き部は、取付孔の上縁部から裏側に水平に切り起こされて形成されているので、別部材をパネル取付部に溶接するなどして仮置き部を形成する必要がなく、効率よく仮置き部を形成することができる。
【００１１】
また、本発明に係るパネル取付方法は、支柱に取付金具の固定部を止着し、次いでパネル取付部の表裏方向に貫通する金具側取付孔の上縁部から裏側に水平に突出する仮置き部をパネルに形成された表裏方向に貫通するパネル側取付孔に挿入し、パネルを仮置き部に載置した状態で、前記パネル側取付孔と金具側取付孔とを貫通する固定具によってパネルを取付金具に固定するようにしているので、作業者は両手を自由に使って効率よくパネルを支柱に固定することができ、施工性の向上を図ることができる。
【図面の簡単な説明】
【００１２】
【図１】本発明に係るパネル取付構造に用いる取付金具の、実施の一形態を示す斜視図である。
【図２】図１に示す取付金具の、（ａ）は正面図、（ｂ）は平面図、（ｃ）は底面図、（d）は左側面図、（ｅ）は右側面図である。
【図３】パネルの取付方法を説明する分解斜視図である。
【図４】本発明に係るパネル取付構造の要部拡大断面図である。
【図５】本発明に係るパネル取付構造を備えた実施形態の一例を示す（ａ）は正面図、（ｂ）は右側面図である。
【図６】図５の要部の部分拡大断面図である。
【発明を実施するための形態】
【００１３】
次に、本発明を実施するための最良の形態について図面を参照し、具体的に説明する。
本形態に係るパネル取付構造は、間隔をおいて立設された複数の支柱１，１・・・の相対向する側壁間に連続してパネル２が取付金具３を介して架設されており、取付金具３は、その中央部に固定部３１が配置され、該固定部３１両側よりパネル取付部３２がパネル２の接続方向に突設されている。
【００１４】
図１に示す実施形態においては、円柱状の支柱１の外形に沿うように、固定部３１は半円形に形成されており、固定部３１両側より突設されているパネル取付部３２は略平坦に形成されている。勿論、支柱１の外形が角形であれば、それに対応するように固定部３１を形成すればよく、支柱１の外形に合せて固定部３１の形状を適宜形成すればよい。
【００１５】
固定部３１の略中央には、固定具であるボルトＢ１を用いて固定部３１を支柱１に止着する際に、ボルトＢ１を挿入し貫通させる固定用孔３１１が形成されており、パネル取付部３２の略中央には、固定具であるボルトＢ２を用いてパネル取付部３２にパネル２を固定する際に、ボルトＢ２を挿入し貫通させる金具側取付孔３３が形成されている。
【００１６】
金具側取付孔３３の上縁部３４から水平に仮置き部３５が、図１においては手前側、すなわち固定部３１の半円形の凹面側に設けられており、該仮置き部３５は金具側取付孔３３を形成する時、所定の大きさの金具側取付孔３３が仮置き部３５の部分の大きさ（面積）を残してプレス成形で切除されると同時に、残された仮置き部３５の部分は水平に切り起こされて、仮置き部３５が形成される。
【００１７】
次にパネルの取付方法について説明する。
ボルトＢ１を取付金具３の固定部３１に形成された固定用孔３１１に挿入し、支柱１の所定の位置に形成された貫通孔に貫通して、支柱１に取付金具３を止着する。次いでパネル取付部３２の金具側取付孔３３の上縁部３４から水平に設けられた仮置き部３５を、パネル２の所定の位置に形成されたパネル側取付孔２１に挿入し、パネル２を仮置き部３５に載置した状態で、固定具であるボルトＢ２をパネル側取付孔２１と金具側取付孔３３とに挿入し貫通させて、パネル２を取付金具３に固定する。
【００１８】
次に本発明に係るパネル取付構造を有する実施形態の一例について説明する。
図４に示す本発明に係るパネル取付構造を備えた実施形態の一例は、マンションや店舗等に設置される自転車置場Ｊであり、手前側の左右に２本の支柱１ａ，１ｂが、奥側の左右と中央とに３本の支柱１ｃ，１ｄ，１ｅが配置され、手前側の左右の支柱１ａ、１ｂと奥側の支柱１ｃ、１ｅ上端部間にそれぞれ主梁４ａ、４ｂを架け渡して、この左右の主梁４ａ，４ｂ間の手前側、中央、奥側にそれぞれ母屋５ａ，５ｂ，５ｃが３本架け渡され、その上に屋根材６が取付けられている。
【００１９】
そして、奥側の３本の支柱１ｃ，１ｄ，１ｅ間には、２個の背面パネル２が直線状に、そのパネル２端部の上部及び下部において２個の取付金具３を介して固定されており、また、手前側の左右の支柱１ａ、１ｂと奥側の左右の支柱１ｃ、１ｅとの間には、それぞれ側面パネル２がそのパネル２端部の上部及び下部において２個の取付金具３を介して固定されて、自転車置場Ｊが形成されている。
【００２０】
背面パネル２を支柱１ｄの両側に固定する際には、取付金具３の中央部に固定部３１が配置され、該固定部３１両側よりパネル取付部３２が背面パネル２の接続方向である１８０°に突設された取付金具３が用いられて、側面パネル２を手前側の支柱１ａ、１ｂと奥側の左右の支柱１ｃ、１ｅとの間に固定する際には、図６の如き取付金具３の中央部に１／４円形の固定部３１が配置され、該固定部３１両側よりパネル取付部３２が側面パネル２の接続方向である９０°の角度をなすように突設された取付金具３が用いられて、各パネル２が支柱１に固定される。
【００２１】
上記の如きパネル取付構造となすことにより、例えば自転車置場Ｊを設置する現場において、パネル２の背面側直近に壁がある場合においても、パネル２を壁の手前側から支柱１，１間に取付けることができるため、従来であれば、パネル２を取付ける作業スペースを確保するために、支柱１の設置位置をより手前に設置する必要があったが、本発明に係るパネル取付構造によって、壁に近接した位置に支柱１を設置でき、施工性が向上するに加え、設置現場のスペースを有効に利用でき好ましい。
【産業上の利用可能性】
【００２２】
本発明によれば、取付金具は固定部とパネル取付部とを備え、固定部は支柱に止着されると共に、固定部よりパネル取付部がパネルの接続方向に突設されて、パネル取付部には金具側取付孔が形成され、該金具側取付孔の縁部から水平に仮置き部が設けられて、パネルに形成されたパネル側取付孔に前記仮置き部が挿入されて、パネルが支柱に固定されているため、パネル側取付孔を仮置き部に挿入した状態でパネルを仮置きすることができるので、作業者は両手を自由に使って効率よくパネルを支柱に固定することができるパネル取付構造に好適に利用できる。
【符号の説明】
【００２３】
１      支柱
１ａ    支柱
１ｂ    支柱
１ｃ    支柱
１ｄ    支柱
１ｅ    支柱
２      パネル
２１    パネル側取付孔
３      取付金具
３１    固定部
３２    パネル取付部
３３    金具側取付孔
３４    上縁部
３５    仮置き部
４ａ    主梁
４ｂ    主梁
５ａ    母屋
５ｂ    母屋
６      屋根材
Ｂ１，Ｂ２      固定具（ボルト）
【図１】
0005437758.tif 000002
【図２】
0005437758.tif 000003
【図３】
0005437758.tif 000004
【図４】
0005437758.tif 000005
【図５】
0005437758.tif 000006
【図６】
0005437758.tif 000007